(57)【特許請求の範囲】
【請求項１】
主扉に開口されたパネル窓部を介して本体内部に設けられた操作表示パネルに電話ジャックを備えた防災監視盤と、各監視区域に設けられ、電話ジャックを備えた端末機器とを電話線を介して接続し、前記防災監視盤及び前記端末機器の間で通話を行う防災システム用電話装置において、
前記防災監視盤は、前記主扉の前記パネル窓部以外の領域に、前記電話ジャックを介して前記防災監視盤に接続される送受話器を掛止するためのフック部を備え、
前記フック部は、前記主扉に対して収納可能に形成されるとともに、前記主扉は、前記フック部を前記主扉の前面に対して略面一となるように収納するフック収納部を備え、
前記フック収納部は、前記フック部の未使用時には、前記フック部を前記フック収納部に収納し、前記フック部の使用時には、前記フック部を回動して前記主扉の前面から突出させて固定する機構を有していることを特徴とする防災システム用電話装置。
【請求項２】
主扉に開口されたパネル窓部を介して本体内部に設けられた操作表示パネルに電話ジャックを備えた防災監視盤と、各監視区域に設けられ、電話ジャックを備えた端末機器とを電話線を介して接続し、前記防災監視盤及び前記端末機器の間で通話を行う防災システム用電話装置において、
前記防災監視盤は、前記主扉の前記パネル窓部以外の領域に、前記電話ジャックを介して前記防災監視盤に接続される送受話器を掛止するためのフック部を備え、
前記フック部は、前記主扉に開口された前記パネル窓部の周縁部を、各々前面側及び背面側から挟み込むように対向して設けられた前面部材及び背面部材と、前記前面部材に設けられ、前記送受話器を掛止するフック部材と、前記背面部材に設けられた複数条のスリットと、を備えるとともに、前記主扉に対して着脱可能に形成され、
前記主扉は、前記パネル窓部の周縁部の背面側に、前記フック部の前記スリットに嵌合して、前記フック部材を前記主扉の前面側に配置固定する係止部を備えていることを特徴とする防災システム用電話装置。
【請求項３】
前記防災監視盤は、前記防災監視盤内部に、前記フック部の未使用時に前記フック部を収納する収納部と、該収納部に設けられ、前記フック部を固定する固定片と、を備えることを特徴とする請求項２記載の防災システムの電話装置。
【請求項４】
前記フック部は、前記送受話器と前記防災監視盤とを接続するカールコードの端部に取り付けられたプラグ端子を固定する端子固定部を備えたことを特徴とする請求項１乃至３のいずれかに記載の防災システム用電話装置。
【請求項５】
前記端子固定部は、ピンプラグ及びモジュラープラグに対応した形状を有していることを特徴とする請求項４記載の防災システム用電話装置。
【発明の詳細な説明】
【０００１】
【発明の属する技術分野】
本発明は、防災システム用電話装置に関し、特に、火災時や保守点検時等の際に、防災管理センター等に設けられる防災監視盤と、各監視区域に設けられる発信機や表示盤などの端末機器との間で電話線を介して通話を行う防災システム用電話装置に関する。
【０００２】
【従来の技術】
従来、監視区域（以下、地区という）毎に設置された発信機や表示盤等の端末機器と、複数の端末機器を監視制御する単一の防災監視盤から構成される防災システムにおいては、火災発生や保守点検等の際に、各地区に設置された端末機器と防災監視盤との間で通話を行うための電話装置が備えられている。
このような防災システム用電話装置は、例えば、図１４に示すように、端末機器１１０と防災監視盤１３０が電話線ＬＴを介して接続されるとともに、端末機器１１０及び防災監視盤１３０の各々の所定の位置に電話ジャック（ピンジャック）ＰＪ１、ＰＪ２が設けられた構成を有している。
【０００３】
そして、電話ジャックＰＪ１、ＰＪ２の各々に送受話器１２０、１４０のピンプラグＰＰ１、ＰＰ２を差し込み接続することにより、特定の地区に設置された端末機器１１０と管理者側の防災監視盤１３０との間で通信回線が形成され、各地区における火災等の発生状況の報告や、防災システムの保守点検時の連絡等が行われていた。なお、図１４において、１３０Ａは、操作表示パネルであって、火災代表灯や地区表示窓、地区表示灯、スピーカ、電話灯、音響停止スイッチ等が適宜配置されるとともに、操作表示パネル１３０Ａの下方に設けられた小扉（スイッチカバー）１３０Ｂの内側には、保守点検用の各種スイッチ、及び、ピンジャックＰＪ２が設けられている。
【０００４】
ところで、このような構成を有する防災システム用電話装置において、例えば、防災監視盤に電話線を介して接続された複数の端末機器との間で保守点検を行う場合、各端末機器との通話途中で一時的に防災監視盤の送受話器を使用しない状態が生じた時には、防災監視盤に当該送受話器を仮固定や仮保持する専用の場所が設けられていなかったため、電話ジャックにピンプラグを差し込んだ状態で、送受話器をそのまま垂れ下げておいたり、操作表示パネルに設けられた小扉を開放して、その内側や、防災監視盤の上面に載置したり、あるいは、手で常時持っていなければならない等の、取り扱い上の不都合があった。
【０００５】
また、保守点検の作業内容によっては、送受話器のピンプラグを防災監視盤の電話ジャックから外して待機する等の必要があったため、送受話器の取り扱いが煩雑となり、保守点検作業の効率化を妨げるという問題を有していた。
このような問題を解決する技術として、特開平６−２５１２６７号公報等には、操作表示パネルに設けられた小扉（スイッチカバー）の内面側に凸状のフック部を設け、送受話器側の凹部に係合させることにより、送受話器を掛止固定することが記載されている。
【０００６】
【発明が解決しようとする課題】
しかしがら、特開平６−２５１２６７号公報等に記載された構成にあっては、次のような問題を有していた。
（１）防災監視盤側に設けられる電話ジャックは、一般に小扉の内側の操作表示パネルに配置されているため、小扉を開放した状態で内面側に設けられたフック部に送受話器上部（受話側）の凹部を係合して送受話器を掛止すると、防災監視盤と送受話器を接続するカールコードが延びた状態となって、カールコードの送受話器側基部及びプラグ端子側に過度の負荷応力が加わり、最悪の場合、接触不良や断線を生じるという問題を有していた。
【０００７】
（２）近年、端末機器数（回線数）が比較的少ない防災システムにおいては、防災監視盤を従来の金属製に替えて、樹脂材料を成形して形成したものが普及してきている。このような防災監視盤にあっては、操作表示部に設けられる小扉についても、樹脂材料で成形されるため、従来の金属製のものに比較して、強度が低くく（あるいは、撓みやすく）、小扉の内面側に設けられたフック部に送受話器を掛止すると、送受話器自体の重みや、フック部への係合動作の際に加わる力により、小扉自体、あるいは、小扉の取付部に過度の負荷応力が加わり、破損を招くという問題を有していた。
【０００８】
（３）上記公報に記載されているように、操作表示パネルに対して回動式に開閉する小扉の場合、開扉状態で小扉自体が防災監視盤の主面（前面）から突出し、その小扉に送受話器を掛止することにより、突出寸法がさらに増大するため、送受話器への人体や物品等の衝突の危険性が増して、小扉や送受話器の破損を招くという問題を有していた。
また、近年においては、防災監視盤に限らず、あらゆる分野の物品や機器において、小型、薄型化や外観上の美観が求められるようになってきており、この点からも、防災監視盤の突出寸法を極力抑制することが求められている。
（４）さらに、小扉の内側には、保守点検用の各種スイッチが設けられているとともに、その内面側には、操作表示パネルの操作や保守点検作業等に関する取扱説明書や注意書き等が貼付されているため、小扉の内面側に送受話器を掛止することにより、スイッチ類の操作や作業手順の把握の支障となる問題を有していた。
【０００９】
そこで、本発明は、このような問題点に鑑み、防災監視盤に電話線を介して接続された複数の端末機器との間で保守点検等を行う場合において、端末機器との通話途中で一時的に防災監視盤の送受話器を使用しない状態が生じた場合であっても、当該送受話器のカールコードや防災監視盤に過度の負荷を加えることなく、送受話器を良好に掛止することができる防災システム用電話装置を提供することを目的とする。
【００１０】
【課題を解決するための手段】
請求項１記載の発明に係る防災システム用電話装置は、主扉に開口されたパネル窓部を介して本体内部に設けられた操作表示パネルに電話ジャックを備えた防災監視盤と、各監視区域に設けられ、電話ジャックを備えた端末機器とを電話線を介して接続し、前記防災監視盤及び前記端末機器の間で通話を行う防災システム用電話装置において、前記防災監視盤は、前記主扉の前記パネル窓部以外の領域に、前記電話ジャックを介して前記防災監視盤に接続される送受話器を掛止するためのフック部を備え、前記フック部は、前記主扉に対して収納可能に形成されるとともに、前記主扉は、前記フック部を前記主扉の前面に対して略面一となるように収納するフック収納部を備え、前記フック収納部は、前記フック部の未使用時には、前記フック部を前記フック収納部に収納し、前記フック部の使用時には、前記フック部を回動して前記主扉の前面から突出させて固定する機構を有していることを特徴としている。
【００１１】
請求項２記載の発明に係る防災システム用電話装置は、主扉に開口されたパネル窓部を介して本体内部に設けられた操作表示パネルに電話ジャックを備えた防災監視盤と、各監視区域に設けられ、電話ジャックを備えた端末機器とを電話線を介して接続し、前記防災監視盤及び前記端末機器の間で通話を行う防災システム用電話装置において、
前記防災監視盤は、前記主扉の前記パネル窓部以外の領域に、前記電話ジャックを介して前記防災監視盤に接続される送受話器を掛止するためのフック部を備え、
前記フック部は、前記主扉に開口された前記パネル窓部の周縁部を、各々前面側及び背面側から挟み込むように対向して設けられた前面部材及び背面部材と、前記前面部材に設けられ、前記送受話器を掛止するフック部材と、前記背面部材に設けられた複数条のスリットと、を備えるとともに、前記主扉に対して着脱可能に形成され、
前記主扉は、前記パネル窓部の周縁部の背面側に、前記フック部の前記スリットに嵌合して、前記フック部材を前記主扉の前面側に配置固定する係止部を備えていることを特徴としている。
【００１３】
請求項３記載の発明に係る防災システム用電話装置は、請求項２記載の防災システム用電話装置において、前記防災監視盤は、前記防災監視盤内部に、前記フック部の未使用時に前記フック部を収納する収納部と、該収納部に設けられ、前記フック部を固定する固定片と、を備えることを特徴としている。
【００１４】
請求項４記載の発明に係る防災システム用電話装置は、請求項１乃至３のいずれかに記載の防災システム用電話装置において、前記フック部は、前記送受話器と前記防災監視盤とを接続するカールコードの端部に取り付けられたプラグ端子を固定する端子固定部を備えたことを特徴としている。
請求項５記載の発明に係る防災システム用電話装置は、請求項４記載の防災システム用電話装置において、前記端子固定部は、ピンプラグ及びモジュラープラグに対応した形状を有していることを特徴としている。
【００１６】
【発明の実施の形態】
以下、本発明に係る防災システム用電話装置の実施形態について、図面を参照しながら説明する。
＜第１の実施形態＞
図１は、本発明に係る防災システム用電話装置に適用される防災監視盤の第１の実施形態を示す概略構成図であり、図２は、本実施形態に係る防災監視盤に適用される操作表示パネルの一例を示す概略図である。
【００１７】
図１（ａ）に示すように、本実施形態に係る防災監視盤１０は、大別して、防災監視用の電子機器が収納された監視盤本体１０Ａと、監視盤本体１０Ａの前面に、水平方向に開閉可能に設けられた主扉１０Ｂと、監視盤本体１０Ａに主扉１０Ｂをロックするためのロック金具１０Ｄと、監視盤本体１０Ａに設けられ、主扉１０Ｂに開口されたパネル窓部１０Ｃを介して露出する操作表示パネル１１と、操作表示パネル１１の下方に、開閉可能に設けられた小扉（スイッチカバー）１２と、パネル窓部１０Ｃ近傍の主扉１０Ｂに、収納可能に設けられた送受話器掛止部（フック部）１３と、を有して構成されている。なお、図示を省略したが、防災監視盤１０は、従来技術に示したものと同様に、所定の電話線を介して、各監視区域に設けられた複数の端末機器に接続され、防災監視盤１０及び端末機器の各々に接続された送受話器を用いて、通話を行うことができるように構成されている。
【００１８】
以下、各構成について、図１及び図２を参照して説明する。
監視盤本体１０Ａ及び主扉１０Ｂは、内部に防災監視用の電気、電子機器及び操作表示パネル１１を収納し、防災管理担当者や保守管理担当者等の関係者以外が、容易に主扉を１０Ｄを開扉できないようにロック金具１０Ｄにより閉止されている。
操作表示パネル１１には、図２に示すように、例えば火災代表灯１１ａや地区表示灯１１ｂ、主操作部１１ｃ、保守操作部１１ｄ等が適宜配置されている。
火災代表灯１１ａは、監視区域に設けられる発信機や火災感知器等の端末機器から発報がある場合に点滅する。また、地区表示灯１１ｂは、地区に対応して複数設けられ、端末機器発報があった場合に、該当する地区表示灯１１ｂが点滅する。
【００１９】
主操作部１１ｃは、電源の状況や防災システムの動作状況を表示する各種表示灯や、スピーカ等から構成される音響機器から出力される報知音等を制御する操作スイッチ類を備えている。
保守操作部１１ｄは、保守点検作業時に使用する各種操作スイッチや、送受話器２０を接続するための電話ジャックＭＪを備え、通常は、小扉１２により保護されて、操作スイッチ類に直接接触できないように構成されている。ここで、電話ジャックＭＪは、送受話器２０に接続された汎用のモジュラープラグＭＰに対応したモジュラージャックにより構成されている。なお、送受話器２０と防災監視盤４０との接続は、本実施形態に示したモジュラープラグ及びモジュラージャックを用いたものに限るものではなく、ピンプラグ及びピンジャックを用いるものであってもよい。
【００２０】
送受話器掛止部１３は、図１（ａ）、（ｂ）に示すように、未使用時には主扉１０Ｂ前面に対して略面一となるように（突出箇所が生じないように）収納され、使用時には主扉１０Ｂに対して約９０°の位置まで回動して突出し、先端部分に送受話器を掛止するフック部材１３ａと、フック部材１３ａを主扉１０Ｂ前面に対して略面一になるように収納するフック収納部１３ｂと、フック収納部１３ｂに収納されたフック部材１３ａを引き出すためのフック引き出し部１３ｃとを有して構成されている。
また、送受話器掛止部１３の設置領域には、送受話器２０の上部（受話側）の形状や大きさに対応した僅かなくぼみ（凹部）１３ｄが設けられている。なお、送受話器掛止部１３の具体的な構成については、後述する。
【００２１】
次に、防災監視盤への送受話器の掛止状態と送受話器掛止部の設置位置との関係について、図面を参照して説明する。
図３は、本実施形態に係る防災監視盤への送受話器の掛止状態を示す概念図である。
図３（ａ）、（ｂ）に示すように、防災監視盤１０に接続された送受話器２０は、防災監視盤１０の主扉１０Ｂに対して、送受話器掛止部１３のフック部材１３ａを９０°回動させて、主扉１０Ｂの前面から突出させ、フック部材１３ａの先端部分に設けられた係合突起に、送受話器上部（受話側）２１に設けられた凹部２１ａを係合することにより、主扉１０Ｂ前面の所定の位置に掛止される。
【００２２】
ここで、送受話器２０の掛止位置、すなわち、送受話器掛止部１３の設置位置は、送受話器２０を送受話器掛止部１３に掛止した状態で、送受話器２０と防災監視盤１０とを接続するモジュラーコード（カールコード）ＭＣが負荷なく垂れ下がるように、送受話器側のコード端部ＭＣａの位置が、操作表示パネル１１に備えられた電話ジャックＭＪの近傍に位置するように設定されている。すなわち、送受話器２０を送受話器掛止部１３に掛止した状態で、カールコードの送受話器側及びモジュラープラグ側の端部ＭＣａ、ＭＣｂへの負荷が軽減される位置に送受話器掛止部１３が設置されている。
【００２３】
加えて、送受話器掛止部１３に掛止された送受話器２０が、操作表示パネル１１の前方に位置して、操作ボタンや表示灯を隠すことがないように、操作表示パネル１１やパネル窓部１０Ｃとの位置関係が設定されている。
このように、送受話器掛止部１３の設置位置を設定することにより、送受話器２０を送受話器掛止部１３に掛止した状態で、防災監視盤１０と送受話器２０を接続するモジュラーコードＭＣの両端部ＭＣａ、ＭＣｂへの負荷が軽減され、接触不良や断線等の発生を防止することができる。
さらに、送受話器２０を送受話器掛止部１３に掛止した状態であっても、操作表示パネル１１に備えられた操作ボタンの操作性や表示灯の視認性等を損なうことがない。
【００２４】
また、上述した掛止状態において、フック部材１３ａの主扉１０Ｂ前面からの突出寸法は、送受話器２０が主扉１０Ｂ前面にほぼ接触するか、やや離間する程度に設定されていることが好ましい。
したがって、送受話器２０を送受話器掛止部１３に掛止した状態における、主扉１０Ｂ前面からの最大突出寸法ＨＡは、ほぼ送受話器２０の厚み分に抑制されるので、従来技術に示したように、小扉に送受話器２０を掛止する場合に比較して、送受話器２０への人体や物品等の衝突の危険性を大幅に低減することができる。
【００２５】
次に、防災監視盤に設けられる送受話器掛止部の具体構成について、図面を参照して説明する。
図４は、本実施形態に係る防災監視盤に適用される送受話器掛止部の具体構成例を示す概念図である。
図４に示すように、送受話器掛止部１３は、大別して、フック部材１３ａと、フック収納部１３ｂと、フック引き出し部１３ｃとを有して構成され、フック部材１３ａに設けられた一対の軸凹部１３ｆとフック収納部１３ｂ内に突出する一対の軸凸部１３ｇが嵌合しつつ、軸芯を中心に摺動することにより、フック部材１３ａが回動する。
【００２６】
ここで、フック部材１３ａの先端部分には、送受話器側の凹部に係合する係合突起１３ｈが設けられ、図４（ａ）に示すように、フック部材１３ａをフック収納部１３ｂに収納した状態においては、係合突起１３ｈがフック収納部１３ｂの底面に当接するとともに、フック部材１３ａの回動軸近傍の部位Ａを、フック収納部１３ｂの底面に設けられたバネ性の押圧部１３ｅによりフック部材１３ａの回動を制止する方向に押圧するように構成されている。これにより、フック部材１３ａの収納状態が安定して保持される。
【００２７】
一方、フック部材１３ａの回動軸側の端部には、フック部材１３ａの回動を停止するための突起１３ｉが設けられ、図４（ｂ）に示すように、フック部材１３ａをフック収納部１３ｂから９０°回動して、引き出した状態においては、突起１３ｉがフック収納部１３ｂの底面に当接するとともに、フック部材１３ａの回動軸近傍の部位Ｂを、フック収納部１３ｂの底面に設けられた押圧部１３ｅによりフック部材１３ａの回動を制止する方向に押圧するように構成されている。これにより、フック部材１３ａの突出状態が安定して保持される。
【００２８】
また、フック部材１３ａに設けられる係合突起１３ｈの形状、及び、主扉の前面から係合突起１３ｈまでの突出寸法ＨＢは、特定の種類の送受話器に設けられた凹部や、送受話器の寸法形状等にのみ対応するものではなく、様々な種類の送受話器に対応する形状及び寸法に形成することにより、送受話器の仕様が変更になった場合や、故障や破損等が生じた際に他種の代替品を入手した場合に、柔軟な対応が可能となる。
また、フック引き出し部１３ｃは、フック収納部１３ｂの底面から主扉１０ｂの前面に向かって、傾斜面を有して構成されている。これにより、収納状態にあるフック部材１３ａを引き出す際に、フック引き出し部１３ｃに指を挿入すると、傾斜面に指が接触して、フック収納部１３ｂ方向に導かれ、フック部材の先端部分（掛止突起１３ｈ）に指先が掛かり、フック部材１３ａの引き出し動作が円滑に行われる。
【００２９】
さらに、送受話器掛止部１３は、樹脂材料等で形成され、フック部材１３ａの軸凹部とフック収納部１３ｂの軸凸部１３ｇの僅かな嵌合により、フック部材１３ａの回動が行われ、突出状態が保持されるように構成されている。これにより、フック部材１３ａに外部から過度の負荷応力が加わった場合には、フック部材１３ａがフック収納部１３ｂから離脱して、フック部材１３ａ及びフック収納部１３ｂの破損が回避されるとともに、フック部材１３ａが破損した場合であっても交換が可能な構成を有している。但し、フック部材１３ａの軸凹部とフック収納部１３ｂの軸凸部１３ｇの嵌合は、送受話器を通常掛止する際に印加される応力には十分耐えうる強度に構成されている。
【００３０】
なお、図１に示したように、送受話器掛止部１３が設置される主扉１０Ｂの前面領域には、僅かなくぼみ１３ｄが設けられている。通常、送受話器２０を送受話器掛止部１３のフック部材１３ａに掛止する際には、送受話器２０自体によって送受話器掛止部１３に対する防災監視盤前方からの視界が遮られるため、迅速かつ確実な掛止動作が困難となる。
そこで、送受話器上部の形状や大きさに応じたくぼみを設けることにより、掛止位置が容易に認識され、主扉の前面に送受話器を密着させることが可能となる。なお、送受話器の掛止位置を認識させる構成は、本実施形態に示した、くぼみを形成するものに限定されるものではなく、同様の効果が得られるものであれば、例えば、送受話器掛止部１３の設置領域にライン（線画等）や、色彩を施したものであってもよい。
【００３１】
したがって、本実施形態に係る防災監視盤においては、上述した構成を有する送受話器掛止部を適用することにより、送受話器を掛止する場合にのみ、フック部材を引き出して突出状態とし、未使用の場合には、主扉前面と面一になるように、完全にフック収納部に収納することができるので、未使用時にフック部材が突出して障害になることがなく、また、美観を良好に保つことができる。
また、掛止用の凹部を有するものであれば、様々な送受話器に対応して、良好に掛止することができる。
なお、本発明に適用される送受話器掛止部は、上記構成を有するものに限定されるものではなく、少なくとも、未使用時には、主扉から突出することなく収納され、かつ、使用時において、掛止用凹部を有する様々な種類の送受話器を掛止することができるものであれば、他の構成を有していてもよいことはいうまでもない。
【００３２】
＜第２の実施形態＞
次に、本発明に係る防災システム用電話装置の第２の実施形態について、図面を参照して説明する。
図５は、本発明に係る防災システム用電話装置に適用される防災監視盤の第２の実施形態を示す概略構成図であり、図６は、本実施形態に係る防災監視盤に適用される送受話器掛止部の具体構成例を示す概念図であり、図７は、本実施形態に係る防災監視盤への送受話器掛止部の取付状態を示す概念図である。ここで、上述した実施形態と同等の構成については、同一の符号を付して、その説明を省略する。
【００３３】
図５に示すように、本実施形態に係る防災監視盤１０は、上述した第１の実施形態と同等の構成を有する監視盤本体１０Ａと、主扉１０Ｂと、パネル窓部１０Ｃと、ロック金具１０Ｄと、操作表示パネル１１と、小扉１２とを備えるとともに、パネル窓部１０Ｃの周縁部に着脱可能に設けられた送受話器掛止部１４を有して構成されている。
送受話器掛止部１４は、図６（ａ）、（ｂ）に示すように、大別して、対向して設けられた前面部材１４ａ及び背面部材１４ｂと、前面部材１４ａから突出して設けられたフック部材１４ｃと、フック部材１４ｃの先端部分に設けられた係合突起１４ｄと、前面部材１４ａ寄りのフック部材１４ｃに設けられた２種類のプラグ固定部（端子固定部）１４ｅ、１４ｆと、背面部材１４ｂに設けられた複数条のスリット１４ｇを有して構成されている。ここで、送受話器掛止部１４は、例えば、樹脂材料により成形される。
【００３４】
前面部材１４ａ及び背面部材１４ｂは、主扉１０Ｂに開口されたパネル窓部１０Ｃの周縁部を、各々前面側及び背面側から挟み込むことができるように所定寸法離間して形成されている。
前面部材１４ａに設けられたフック部材１４ｃは、主扉１０Ｂの前面に対して、例えば略垂直に突出するように形成され、その先端部分には、掛止される送受話器２０の上部２１に設けられた掛止用の凹部２１ａに係合する係合突起１４ｄが設けられている。
ここで、フック部材１４ｃに設けられる係合突起１４ｄの形状、及び、主扉１０Ｂの前面から係合突起１４ｄまでの突出寸法は、上述した実施形態に示した送受話器掛止部１３の場合と同様に、様々な種類の送受話器に設けられた凹部や、送受話器の寸法形状等に対応するように形成されている。
【００３５】
また、フック部材１４ｃの前面部材１４ａ（主扉１０Ｂ）寄りに設けられたプラグ固定部１４ｅ、１４ｆは、送受話器２０が防災監視盤１０に接続されていない状態において、送受話器に接続されているカールコードの先端に取り付けられているプラグ端子を固定する。詳しくは、後述する。
背面部材１４ｂは、複数条のスリット１４ｇが平行に形成され、図７に示すように、前面部材１４ａ及び背面部材１４ｂによりパネル窓部１０Ｃの周縁部を挟み込むように送受話器掛止部１４を差し込んだ後、背面部材１４ｂのスリット１４ｇを主扉１０Ｂの背面側に形成された係止部１０Ｅに差し込むように、（図面下方に）押し込むことにより嵌合され、送受話器掛止部１４が、パネル窓部１０Ｃの周縁部の所定の位置に取り付け固定される。すなわち、これにより、主扉１０Ｂの前面の所定の位置にフック部材１４ｃが突出するように配置固定される。
【００３６】
ここで、パネル窓部１０Ｃの周縁部への送受話器掛止部１４の取り付けは、図７に示したように、防災監視盤１０の主扉１０Ｂを開扉した状態で、前面部材１４ａ及び背面部材１４ｂによりパネル窓部１０Ｃの周縁部を挟み込み、さらに、背面部材１４ｂのスリット１４ｇを主扉１０Ｂ背面側の係止部１０Ｅに嵌合する方法に限らず、主扉１０Ｂ背面側に設けられている係止部１０Ｅの形成領域上方に位置するパネル窓部１０Ｃの周縁部に、背面部材１４ｂを挿入可能な形状及び寸法を有する凹部１０Ｆを設けることにより、主扉１０Ｂを閉扉した状態で、背面部材１４ｂをパネル窓部１０Ｃから凹部１０Ｆを介して主扉１０Ｂ背面側に挿入して、前面部材１４ａ及び背面部材１４ｂによりパネル窓部１０Ｃの周縁部を挟み込み、さらに、背面部材１４ｂのスリット１４ｇを主扉１０Ｂ背面側の係止部１０Ｅに嵌合する方法を採用することできる。
【００３７】
なお、本実施形態においても、上述した実施形態と同様に、送受話器２０を送受話器掛止部１４に掛止した状態で、送受話器２０と防災監視盤１０とを接続するモジュラーコードＭＣが負荷なく垂れ下がり、カールコードの両端部に負荷が掛からず、かつ、送受話器掛止部１４に掛止された送受話器２０が、操作表示パネル１１の操作ボタンや表示灯を隠すことがないように、送受話器掛止部１４の形状や寸法、また、防災監視板１０Ｂ側の係止部１０Ｅの位置が設置されている。
【００３８】
ここで、上述した送受話器掛止部におけるプラグ端子の固定状態について、図面を参照して説明する。
図８は、本実施形態に係る防災監視盤に適用される送受話器掛止部のプラグ固定例を示す概念図である。
図８（ａ）に示すように、Ｕ字溝形状を有するプラグ固定部１４ｅにおいては、モジュラープラグＭＰから延伸するモジュラーケーブルＭＣの基部をＵ字溝内に挿入することにより、図示を省略した送受話器の上部近傍でモジュラープラグＭＰが固定される。
【００３９】
一方、図８（ｂ）に示すように、真円状のプラグ固定部１４ｆにおいては、ピンプラグＰＰの端子電極を真円内に挿入することにより、図示を省略した送受話器の上部近傍でピンプラグＰＰが固定される。
このように、送受話器掛止部１４にプラグ固定部１４ｅ、１４ｆを設けることにより、送受話器２０が防災監視盤１０に接続されていない状態において、送受話器に接続されているカールコードの垂れ下がりが防止されるので、プラグ端子やケーブル等の破損の原因となったり、美観を損ねることがない。
なお、本実施形態に示したプラグ固定部は、上述した第１の実施形態にも適用できることはいうまでもない。
【００４０】
次に、本実施形態に係る防災監視盤に適用される送受話器掛止部の収納状態について、図面を参照して説明する。
図９は、本実施形態に係る防災監視盤における送受話器掛止部の収納状態を示す概略図である。
図９に示すように、送受話器掛止部１４の収納は、主扉１０Ｂを開扉して、図７に示した送受話器掛止部１４の取付とは逆の手順により取り外し、監視盤本体１０Ａに予め設けられた収納場所（収納部）１０Ｇに収納する。ここで、送受話器掛止部１４は、監視盤本体１０Ａに設けられた固定ピン（固定片）１４ｈに、送受話器掛止部１４のプラグ固定部１４ｆをはめ込む構成としてもよいし、収納場所１０Ｇを予め箱状に形成して、その中に収納するように構成してもよい。
【００４１】
このように、本実施形態に係る防災監視盤においては、上述した構成を有する送受話器掛止部を適用することにより、送受話器を掛止する場合にのみ、パネル窓部の周縁部を挟み込むようにフック部材を取り付け、未使用の場合には、取り外して防災監視盤の内部に収納することができるので、未使用時にフック部材が突出して障害になることがなく、また、外見上の美観やデザインに何ら影響を与えることがない。
【００４２】
また、送受話器掛止部にプラグ固定部を設けたので、送受話器を防災監視盤に接続していない状態のとき、プラグ端子及びケーブルを固定することができ、プラグの垂れ下がりにより破損を生じたり、美観を損ねたりすることがない。
さらに、送受話器掛止部を独立した部品として取り扱うことができるので、上記実施形態に示した防災監視盤と同等の構成、すなわち、パネル窓部１０Ｃの周縁部形状及び寸法、主扉１０Ｂ背面側の係止板１０Ｅを備えた他の監視盤にも取り付け固定することができ、また、送受話器掛止部に取付穴を開口することにより、上記構成を備えていない既存の監視盤にもネジ止め等により取り付け固定することができる。
【００４３】
＜第３の実施形態＞
次に、本発明に係る防災システム用電話装置の第３の実施形態について、図面を参照して説明する。
図１０は、本発明に係る防災システム用電話装置に適用される防災監視盤の第３の実施形態を示す概略構成図であり、図１１は、本実施形態に係る防災監視盤に適用される送受話器掛止部の具体構成例を示す概念図である。ここで、上述した実施形態と同等の構成については、同一の符号を付して、その説明を省略する。
【００４４】
図１０に示すように、本実施形態に係る防災監視盤１０は、上述した第１及び第２の実施形態と同等の構成を有する監視盤本体１０Ａと、主扉１０Ｂと、パネル窓部１０Ｃと、ロック金具１０Ｄと、操作表示パネル１１と、小扉１２とを備えるとともに、例えば、主扉１０Ｂの前面等の任意の場所に着脱可能に取り付けられた送受話器掛止部１５を有して構成されている。ここで、防災監視盤１０は、少なくとも主扉１０Ｂが、例えば、鉄等の金属磁性材料により形成されている。
送受話器掛止部１５は、図１１（ａ）、（ｂ）に示すように、大別して、掛止部基材１５ａと、掛止部基材１５ａの前面側に設けられたフック部材１５ｂ、フック収納部１５ｃ、フック引き出し部１５ｄと、掛止部基材１５ａの背面側に設けられた磁石１５ｅと、を有して構成されている。
【００４５】
フック部材１５ｂ、フック収納部１５ｃ、フック引き出し部１５ｄは、図４に示したものと同様に、フック部材１５ｂに設けられた軸凹部とフック収納部１５ｃ内に突出する軸凸部が嵌合しつつ、軸芯を中心に摺動することにより、フック部材１５ｂが回動するように構成されている。また、フック引き出し部１５ｄにより、掛止部基材１５ａの前面と略面一の状態でフック収納部１５ｃに完全に収納されたフック部材１５ｂを指先で引き出せるように構成されている。
フック部材１５ｂの先端部分には、送受話器に設けられた掛止用の凹部に係合する係合突起１５ｆが設けられている。ここで、係合突起１５ｆの形状、及び、主扉１０Ｂの前面から係合突起１５ｆまでの突出寸法は、上述した実施形態に示した送受話器掛止部１３、１４の場合と同様に、様々な種類の送受話器に設けられた凹部や、送受話器の寸法形状等に対応するように形成されている。
【００４６】
磁石１５ｅは、掛止部基材１５ａの背面側に埋め込まれ、図１０に示したように、金属磁性材料で形成された主扉１０Ｂの任意の位置に磁力により取り付けられる。
なお、送受話器掛止部１５が取り付け固定される位置は、上述した実施形態と同様に、送受話器２０を送受話器掛止部１５に掛止した状態で、送受話器２０と防災監視盤１０とを接続するモジュラーコードＭＣが負荷なく垂れ下がり、カールコードの両端部に負荷が掛からず、かつ、送受話器掛止部１４に掛止された送受話器２０が、操作表示パネル１１の操作ボタンや表示灯を隠すことがないように設定されることが望ましい。
【００４７】
このように、本実施形態に係る防災監視盤においては、上述した構成を有する送受話器掛止部を適用することにより、送受話器を掛止する場合にのみ、防災監視盤の任意の箇所に取り付け固定し、かつ、フック部材を引き出して突出状態とし、未使用の場合には、掛止部基材前面と面一になるように、完全にフック収納部に収納することができるとともに、取り外して防災監視盤の側面や内部等、任意の箇所に移動させて、取り付けることができるので、未使用時にフック部材が突出して障害になることがなく、また、外見上の美観やデザインに何ら影響を与えることがない。
さらに、送受話器掛止部を独立した部品として取り扱うことができるので、既存の金属製の監視盤の任意の箇所に簡易に取り付け固定することができる。
【００４８】
＜第４の実施形態＞
次に、本発明に係る防災システム用電話装置の第４の実施形態について、図面を参照して説明する。
図１２は、本発明に係る防災システム用電話装置に適用される防災監視盤の第４の実施形態を示す概略構成図である。ここで、上述した実施形態と同等の構成については、同一の符号を付して、その説明を省略する。
図１２に示すように、本実施形態に係る防災監視盤１０は、上述した第１の実施形態と同等の構成を有し、特に、操作表示パネル１１の下方に開閉可能に設けられた小扉１２を開扉した状態において、当該小扉１２の最大開扉角度θmaxを、内面側に送受話器２０等の物品を載置できない程度に傾斜した角度、例えば、１４０°以上に設定されている。
【００４９】
このような構成を有する防災監視盤１０によれば、小扉１２を開扉した状態で、小扉１２の内面側に送受話器２０を載置することができないので、送受話器２０を主扉１０Ｂの所定の位置に設けられた送受話器掛止部に掛止するように動作を促すことができる。したがって、小扉１２に物品を載置することにより生じる、小扉１２の破損や操作スイッチの操作性の低下を防止することができ、また、小扉の内面側に貼付されている説明書や注意書き等を見やすくして、保守点検作業の効率化を図ることができる。
【００５０】
＜第５の実施形態＞
次に、本発明に係る防災システム用電話装置の第５の実施形態について、図面を参照して説明する。
図１３は、本発明に係る防災システム用電話装置の第５の実施形態を示す概略構成図である。ここで、上述した実施形態と同等の構成については、同一の符号を付して、その説明を省略する。
本実施形態に係る防災システム用電話装置は、図１３に示すように、防災監視盤１０に接続される送受話器２０が、モジュラーケーブルＭＣを着脱可能な構成を有している。
【００５１】
すなわち、送受話器２０は、防災監視盤１０に備えられたモジュラージャックＭＪ１と同等の構成を有するモジュラージャックＭＪ２を備え、また、モジュラーケーブルＭＣには、両端に同一の構成を有するモジュラープラグＭＰ１、ＭＰ２が取り付けられている。そして、防災監視盤１０及び送受話器２０は、このようなモジュラーケーブルＭＣを介して相互に接続される。
したがって、このような構成を有する防災システム用電話装置においては、防災監視盤１０に接続されるモジュラーケーブルＭＣ及び送受話器２０を、一般電話用の、汎用かつ簡易な構成により実現することができるとともに、モジュラーケーブルＭＣ単体、あるいは、送受話器２０単体が破損した場合にも、極めて容易かつ安価に代替え品を入手することができる。
【００５２】
なお、上述した各実施形態においては、防災監視盤と送受話器との接続をモジュラーケーブル、モジュラープラグ、モジュラージャックを用いた場合について説明したが、本発明はこれに限定されるものではなく、従来技術（図１４参照）に示したように、ピンプラグ及びピンジャックを用いるものであってもよい。
また、図２に示した操作表示パネルにおける、表示灯や操作スイッチ類の種類、配置は一例に過ぎず、この構成に限定されないことはいうまでもない。
【００５４】
【発明の効果】
請求項１記載の発明によれば、フック部の未使用時には、フック部が主扉の前面に対して略面一となるように収納され、また、フック部の使用時には、フック部を回動して主扉の前面から突出させるように構成されているので、送受話器の取り扱いを簡便にして、保守点検作業の効率化を図ることができる。また、未使用時にフック部が突出して人体あるいは物品と衝突したり、障害となることがなく、また、防災監視盤の外見上の美観（見栄え）を良好に保つことができる。
【００５５】
請求項２又は３記載の発明によれば、フック部が、主扉に対して着脱可能に形成されているので、送受話器を掛止する場合にのみ、フック部材を取り付け、未使用の場合には、取り外して防災監視盤内部等の所定の場所に収納することができ、未使用時にフック部材が突出して障害になることがなく、また、外見上の美観やデザインに何ら影響を与えることがない。さらに、フック部を独立した部品として取り扱うことができるので、同等の構成を有する他の防災監視盤にも取り付け固定することができ、送受話器の取り扱いを簡便にして、保守点検作業の効率化を図ることができる。
【００５６】
請求項４又は５記載の発明によれば、フック部が、送受話器に接続されたカールコードの端部に取り付けられたプラグ端子を固定する端子固定部を備えているので、送受話器を防災監視盤に接続していない状態のとき、ピンプラグやモジュラープラグ等のプラグ端子、及び、ケーブルを固定することができ、プラグ端子の垂れ下がりによる破損を防止することができるとともに、防災監視盤の外見上の美観を損ねたりすることがない。
【図面の簡単な説明】
【図１】本発明に係る防災システム用電話装置に適用される防災監視盤の第１の実施形態を示す概略構成図である。
【図２】第１の実施形態に係る防災監視盤に適用される操作表示パネルの一例を示す概略図である。
【図３】第１の本実施形態に係る防災監視盤への送受話器の掛止状態を示す概念図である。
【図４】第１の実施形態に係る防災監視盤に適用される送受話器掛止部の具体構成例を示す概念図である。
【図５】本発明に係る防災システム用電話装置に適用される防災監視盤の第２の実施形態を示す概略構成図である。
【図６】第２の実施形態に係る防災監視盤に適用される送受話器掛止部の具体構成例を示す概念図である。
【図７】第２の本実施形態に係る防災監視盤への送受話器掛止部の取付状態を示す概念図である。
【図８】第２の実施形態に係る防災監視盤に適用される送受話器掛止部のプラグ固定例を示す概念図である。
【図９】第２の本実施形態に係る防災監視盤における送受話器掛止部の収納状態を示す概略図である。
【図１０】本発明に係る防災システム用電話装置に適用される防災監視盤の第３の実施形態を示す概略構成図である。
【図１１】第３の本実施形態に係る防災監視盤に適用される送受話器掛止部の具体構成例を示す概念図である。
【図１２】本発明に係る防災システム用電話装置に適用される防災監視盤の第４の実施形態を示す概略構成図である。
【図１３】本発明に係る防災システム用電話装置の第５の実施形態を示す概略構成図である。
【図１４】従来の防災システム用電話装置を示す外観構成図である。
【符号の説明】
１０            防災監視盤
１０Ａ          監視盤本体
１０Ｂ          主扉
１０Ｃ          パネル窓部
１１            操作表示パネル
１２            小扉
１３、１４、１５    送受話器掛止部（フック部）
２０            送受話器
【図１】
0003722459.tif 000002
【図２】
0003722459.tif 000003
【図３】
0003722459.tif 000004
【図４】
0003722459.tif 000005
【図５】
0003722459.tif 000006
【図６】
0003722459.tif 000007
【図７】
0003722459.tif 000008
【図８】
0003722459.tif 000009
【図９】
0003722459.tif 000010
【図１０】
0003722459.tif 000011
【図１１】
0003722459.tif 000012
【図１２】
0003722459.tif 000013
【図１３】
0003722459.tif 000014
【図１４】
0003722459.tif 000015